(57)【要約】【課題】転写紙として使用する情報記録媒体の透明部材の表面に凹凸パターンを形成し、その反対面に画像を形成し、後処理装置で非透明媒体をトナー画像側に付加する情報記録媒体を提供する。【解決手段】反転トナー２４ｃを付着させる透明部材２４ａと透光性の低い非透明部材２４ｂを含む情報記録媒体２４において、少なくとも１部分が透明である記録媒体部材２４ａの表面に微細な段差パターンが形成され、その反対面に画像を形成する。【選択図】図２
2008107660.tif 000002
【特許請求の範囲】
【請求項１】
反転トナーを付着させる透明部材と透光性の低い非透明部材を含む情報記録媒体において、少なくとも１部分が透明である記録媒体部材の表面に微細な段差パターンが形成され、その反対面に画像を形成することを特徴とする情報記録媒体。
【請求項２】
反転トナーを付着させる透明部材と透光性の低い非透明部材を含む情報記録媒体において、少なくとも１部分が透明である記録媒体部材の表面に微細な段差パターンが形成され、その反対面に画像を形成した後、白色の透光性の低い基材をラミネートすることを特徴とする情報記録媒体。
【請求項３】
反転トナーを付着させる透明部材と透光性の低い非透明部材を含む情報記録媒体において、少なくとも１部分が透明である記録媒体部材の表面に微細な段差パターンが形成され、その反対面に画像を形成した後、画像形成面に白色の透光性の低い液体を塗布することを特徴とする情報記録媒体。
【請求項４】
前記透明である記録媒体部材への画像形成時、画像情報のミラーリングを行うことを特徴とする請求項１乃至３のいずれか１項記載の情報記録媒体。
【請求項５】
前記透明である記録媒体部材が紫外線吸収性を有していることを特徴とする請求項１乃至４のいずれか１項記載の情報記録媒体。
【請求項６】
反転トナーを付着させる透明部材と透光性の低い非透明部材を含む情報記録媒体において、前記非透明部材は前記反転トナーを定着ユニットで定着後、画像形成装置の後処理装置において付加されることを特徴とする情報記録媒体。
【発明の詳細な説明】
【技術分野】
【０００１】
本発明は、複製を防止するための技術を備える、クレジットカード、ＩＤカード等の画像情報が記録されている情報記録媒体に関するものである。
【背景技術】
【０００２】
クレジットカード、ＩＤカード等の画像情報が記録されている情報記録媒体において、複製を防止するための技術は、従来から種々提案されている（例えば、特許文献１乃至３参照）。
特許文献１には、画像表面に凸部領域を印刷により形成し、凸部を損なわないように透明保護層を設ける方法が開示されている。また、特許文献２及び３には、表面に凹凸を持たせた定着ローラにより定着を行うことで、トナー像表面に光沢差のパターンを作成する方法が開示されている。
現在、市場に出回っている技術には、透明シートで印刷物を両面から包み込んで汚れや水分の侵入を防ぐ保護シート（パウチ）が知られている。また、本の研究による、透明媒体に画像を作成し、透明媒体を通して観察する方法もある。
【特許文献１】特開２００５−２１９３５６公報
【特許文献２】特開２００４−１１００２４公報
【特許文献３】特許第３５１５８５０号
【発明の開示】
【発明が解決しようとする課題】
【０００３】
しかしながら、特許文献１の方法では、画像形成装置本体に特殊なトナー、インクを用いる必要があり、装置が特殊なものとなってしまう。また、特許文献２及び３の方法では、トナー像のない部分には光沢差のパターンを作成できない。
さらに、パウチ方式では、パウチを外して印刷物のみを読みとることで複製が可能となり、本発明者らによる以前の方法も、記録の保護の役目はするが複製防止とはならないという問題もある。
そこで、本発明の目的は、上述した実情を考慮して、転写紙として使用する、情報記録媒体の透明部材の表面に凹凸パターンを形成し、その反対面に画像を形成し、後処理装置で非透明媒体をトナー画像側に付加する情報記録媒体を提供することにある。
【課題を解決するための手段】
【０００４】
上記の課題を解決するために、請求項１に記載の発明は、反転トナーを付着させる透明部材と透光性の低い非透明部材を含む情報記録媒体において、少なくとも１部分が透明である記録媒体部材の表面に微細な段差パターンが形成され、その反対面に画像を形成する情報記録媒体を特徴とする。
また、請求項２に記載の発明は、反転トナーを付着させる透明部材と透光性の低い非透明部材を含む情報記録媒体において、少なくとも１部分が透明である記録媒体部材の表面に微細な段差パターンが形成され、その反対面に画像を形成した後、白色の透光性の低い基材をラミネートする情報記録媒体を特徴とする。
【０００５】
また、請求項３に記載の発明は、反転トナーを付着させる透明部材と透光性の低い非透明部材を含む情報記録媒体において、少なくとも１部分が透明である記録媒体部材の表面に微細な段差パターンが形成され、その反対面に画像を形成した後、画像形成面に白色の透光性の低い液体を塗布する情報記録媒体を特徴とする。
また、請求項４に記載の発明は、前記透明である記録媒体部材への画像形成時、画像情報のミラーリングを行う請求項１乃至３のいずれか１項記載の情報記録媒体を特徴とする。
また、請求項５に記載の発明は、前記透明である記録媒体部材が紫外線吸収性を有している請求項１乃至４のいずれか１項記載の情報記録媒体を特徴とする。
また、請求項６に記載の発明は、反転トナーを付着させる透明部材と透光性の低い非透明部材を含む情報記録媒体において、前記非透明部材は前記反転トナーを定着ユニットで定着後、画像形成装置の後処理装置において付加される情報記録媒体を特徴とする。
【発明の効果】
【０００６】
本発明によれば、転写紙として使用する、情報記録媒体の透明部材に凹凸パターンが形成され、その反対面に画像が形成され、定着ユニットにより情報記録媒体の透明部材にトナー像が定着され、情報記録媒体は後処理装置へと搬送され、非透明媒体をトナー像側面に付加することにより、通常のプリントと同様に観察が可能となる。観察時に、凸凹による光反射の差を認知することができる。この凹凸パターンはスキャナで読みとっても再現できないため、複製であるかの判別が容易にできる。
【発明を実施するための最良の形態】
【０００７】
以下、図面を参照して、本発明の実施の形態を詳細に説明する。図１は本発明に使用する画像形成装置の実施の形態を示す概略図である。この画像形成装置２０は、イエロー（Ｙ）、マゼンタ（Ｍ）、シアン（Ｃ）、ブラック（Ｋ）の各色の画像を形成するための４つの画像形成ユニット１Ｙ、１Ｍ、１Ｃ、１Ｋを備えている。なお、Ｙ、Ｍ、Ｃ、Ｋの色順は、図１に限るものでなく、他の並び順であっても構わない。
画像形成ユニット１Ｙ、１Ｍ、１Ｃ、１Ｋは、それぞれ、像担持体としての感光体ドラム１１Ｙ、１１Ｍ、１１Ｃ、１１Ｋと、帯電手段、現像手段、クリーニング手段とを備えている。
また、各画像形成ユニット１Ｙ、１Ｍ、１Ｃ、１Ｋの配置は、各感光体ドラムの回転軸が平行になるようにかつ転写紙移動方向に所定のピッチで配列するように、設定されている。
画像形成ユニット１Ｙ、１Ｍ、１Ｃ、１Ｋの上方には、光源、ポリゴンミラー、ｆ−θレンズ、反射ミラー等を備え、画像データに基づいて各感光体ドラム１１Ｙ、１１Ｍ、１１Ｃ、１１Ｋの表面にレーザ光を走査しながら照射する光書き込ユニット３が配置されている。
【０００８】
下方には転写紙Ｐを担持して各画像形成ユニット１Ｙ、１Ｍ、１Ｃ、１Ｋの転写部を通過するように搬送する転写搬送ベルト１２を有するベルト駆動装置としての転写ユニット６が配置されている。転写搬送ベルト１２はローラ１３、１４、１５、１６、１７、１８上に張架されている。
転写搬送ベルト１２の外周面には、ブラシローラとクリーニングブレードから構成されたクリーニング装置２３が接触するように配置されている。このクリーニング装置２３により転写搬送ベルト１２上に付着したトナー等の異物が除去される。
転写ユニット６の側方にはベルト定着方式の定着ユニット７、排紙トレイ８等が配置されている。画像形成装置２０下部には、転写紙Ｐが載置された給紙カセット４ａ、４ｂを備えている。また、画像形成装置２０側面から手差しで給紙を行う手差しトレイＭＦが備えられている。
この他、トナー補給容器ＴＣが備えられ、図示していない廃トナーボトル、両面・反転ユニット、電源ユニットなども２点鎖線で示したスペースＳの中に備えられている。
【０００９】
現像手段としての現像装置１０Ｙ、１０Ｍ、１０Ｃ、１０Ｋは、いずれも同様の構成からなり、それらは使用するトナーの色のみが異なる２成分現像方式の現像装置１０Ｙ、１０Ｍ、１０Ｃ、１０Ｋであり、トナーと磁性キャリアからなる現像剤が収容されている。
現像装置１０Ｙ、１０Ｍ、１０Ｃ、１０Ｋはそれぞれの感光体ドラム１１Ｙ、１１Ｍ、１１Ｃ、１１Ｋに対向した現像ローラ、現像剤を搬送・撹拌するスクリュ、トナー濃度センサ等から構成される。
現像ローラは外側の回転自在のスリーブと内側に固定された磁石から構成されている。トナー濃度センサの出力に応じて、トナー補給装置よりトナーが補給される。
【００１０】
先ず、帯電ローラに図示しない電源より所定の電圧が印加されて、対向する感光体ドラム１１表面を帯電する。所定の電位に帯電した感光体ドラム１１表面には、引き続いて光書き込ユニット３により画像データに基づくレーザ光が走査され、静電潜像が書き込まれる。
静電潜像を担持した感光体ドラム１１表面が現像装置１０に到達すると、感光体ドラム１１と対向配置される現像ローラにより、感光体ドラム１１表面の静電潜像にトナーが供給されて、トナー像が形成される。
上記の動作が感光体ユニット２Ｙ、２Ｍ、２Ｃ、２Ｋの全てに同様にして所定のタイミングで行われ、それぞれの感光体ドラム１１Ｙ、１１Ｍ、１１Ｃ、１１Ｋ表面にはそれぞれ所定の色のトナー像が形成される。
【００１１】
転写紙Ｐは、給紙カセット４ａ、４ｂ、もしくは手差しトレイＭＦのいずれかから搬送され、レジストローラ５に到達したところでいったん停止する。その後、感光体ユニット２Ｙ、２Ｍ、２Ｃ、２Ｋの上記の画像形成動作にタイミングを合わせて、転写紙Ｐがレジストローラ５により送り出される。
レジストローラ５により送り出された転写紙Ｐは転写搬送ベルト１２によって搬送されながら、各感光体ドラム１１Ｙ、１１Ｍ、１１Ｃ、１１Ｋ上のトナー像を順次転写されていく。
この転写紙Ｐへのトナー像の転写は、転写搬送ベルト１２を挟んで各感光体ドラム１１Ｙ、１１Ｍ、１１Ｃ、１１Ｋと対向配置されている１次転写ローラ１９Ｙ、１９Ｍ、１９Ｃ、１９Ｋから、図示しない電源によって感光体ドラム１１Ｙ、１１Ｍ、１１Ｃ、１１Ｋ上のトナーの極性と逆の極性の電圧が印加されることで行われる。
その後、転写紙Ｐが感光体ドラム１１Ｋとの対向位置を通過すると、４色のトナー像が重ね合わされた転写紙Ｐは、引き続いて定着ユニット７に搬送され、熱と圧力を受けて画像を定着される。
【００１２】
図２は仕上がった情報記録媒体の折り返し後の断面の様子を示す概略図である。図２において、情報記録媒体２４は、透明部材２４ａと非透明部材２４ｂを含み、反転トナー２４ｃは透明部材２４ａ側に付着している。
かかる情報記録媒体はその或る部分が透明という形状であっても良いし、半分が透明で、かつ半分が非透明であっても良く、また、情報記録媒体全てが透明であってもよい。
図１を参照するに、転写紙Ｐとして使用するこの情報記録媒体２４の透明部材２４ａに画像が形成され、定着ユニット７により情報記録媒体の透明部材２４ａにトナー像が定着され、情報記録媒体は後処理装置２５へと搬送される（図中のＣ方向）。
後処理装置２５では、不透明媒体２４ｂをトナー像側面に貼り合わせる工程の他、白色塗料のスプレコート、ローラコートを用いることもでき、通常のプリントと同様に観察が可能となる。
【００１３】
ここで、情報記録媒体の透明部材２４ａ表面には、図示してないが微細な段差パターン（凹凸パターン）が予め形成されており、観察時に、凸凹による光反射の差を認知することができる。この凹凸パターンはスキャナで読みとっても再現できないため、複製であるかの判別が容易にできる。
凹凸パターンは、透明媒体をフィルム形状に作成した後、金型に押し付けて形成する方法や、液状や半固形状からフィルム形状にする工程で金型と合わせる、いわゆるレプリカ方式で作成することによって製造できる。画像情報を画像形成装置内部でミラーリングすることによって、画像の前処理の手間を省くことができる。
また、情報記録媒体の透明部材にサリチル酸系紫外線吸収剤、ベンゾフェノン系紫外線吸収剤、ベンゾトリアゾール系紫外線吸収剤、シアノアクリレート系紫外線吸収剤等の紫外線吸収剤を含有させることで、紫外線による褪色・変色を防止することができる。
【図面の簡単な説明】
【００１４】
【図１】本発明に使用する画像形成装置の実施の形態を示す概略図である。
【図２】仕上がった情報記録媒体の折り返し後の断面の様子を示す概略図である。
【符号の説明】
【００１５】
２０  画像形成装置、２４  情報記録部材、２４ａ  透明部材、２４ｂ  非透明部材、２４ｃ  反転トナー、２５  後処理装置
【図１】
2008107660.tif 000003
【図２】
2008107660.tif 000004